(57)【要約】      （修正有）【課題】最も安全で、省エネタイプとして、加熱効率を高めるために、水と電気を分離して高周波電磁気の誘導を利用して、渦電流発生による高周波電磁気加熱装置付き湯沸し器を提供する。【解決手段】柱状電磁誘導材料加熱装置本体１、螺旋状加熱コイル２および中空柱状の電磁誘導桶３で構成される。柱状電磁誘導材料加熱装置本体１の外側に、螺旋状加熱コイル２を設置し、さらに、この螺旋状加熱コイル２の外側に中空柱状の電磁誘導桶３を覆うように設置した構造において、螺旋状加熱コイル２に高周波電流を印加して、この螺旋状加熱コイル２に電磁気誘導を発生させて、この螺旋状加熱コイル２に隣接する柱状電磁誘導材料加熱装置本体１の内部と中空柱状の電磁誘導桶３の内部に流動している水を加熱すると同時に磁化させることを特徴とする。【選択図】図１
0003187951.tif 000002
【実用新案登録請求の範囲】
【請求項１】
柱状電磁誘導材料加熱装置本体１、螺旋状加熱コイル２および中空柱状の電磁誘導桶３で構成される構造になっていて、上記、柱状電磁誘導材料加熱装置本体１の外側に、螺旋状加熱コイル２を設置し、さらに、この螺旋状加熱コイル２の外側に中空柱状の電磁誘導桶３を覆うように設置した構造において、螺旋状加熱コイル２に高周波電流を印加して、この螺旋状加熱コイル２に電磁気誘導を発生させて、この螺旋状加熱コイル２に隣接する柱状電磁誘導材料加熱装置本体１の内部と中空柱状の電磁誘導桶３の内部に流動している水を加熱すると同時に磁化させることを特徴とした高周波電磁気加熱装置付き湯沸し器。
【請求項２】
柱状電磁誘導材料加熱装置本体１には、注入口４と排出口５を設け、中空柱状の電磁誘導桶３には、注入口６と排出口７を設けたことを特徴とした請求項１の記載の高周波電磁気加熱装置付き湯沸し器。
【請求項３】
柱状電磁誘導材料加熱装置本体１には、注入口４と排出口５を設け、その設ける位置は、実際の需要に応じた場所に設け、さらに、中空柱状の電磁誘導桶３には、注入口６と排出口７を設け、その設ける位置は、実際の需要に応じた場所に設けたことを特徴とした請求項１の記載の高周波電磁気加熱装置付き湯沸し器。
【請求項４】
柱状電磁誘導材料加熱装置本体１、螺旋状加熱コイル２および中空柱状の電磁誘導桶３の形状は、立方体、長方帯、円柱体、楕円柱体などのいずれかの構造になっていることを特徴とした高周波電磁気加熱装置付き湯沸し器。
【請求項５】
柱状電磁誘導材料加熱装置本体１、螺旋状加熱コイル２および中空柱状の電磁誘導桶３で構成される構造になっている加熱装置の外側にさらにて、螺旋状加熱コイルおよび中空柱状の電磁誘導桶を覆うように設置したことを特徴とした高周波電磁気加熱装置付き湯沸し器。
【考案の詳細な説明】
【技術分野】
【０００１】  本考案は、螺旋状加熱コイル２に電磁気誘導を発生させて、この螺旋状加熱コイル２に隣接する柱状電磁誘導材料加熱装置本体１の内部と中空柱状の電磁誘導桶３の内部に流動している水を加熱すると同時に磁化させることを特徴とした高周波電磁気加熱装置付き湯沸し器に関する。
【背景技術】
【０００２】  従来、一般的な電気温水器は、タングステン電線のシーズヒーターなどを水中に投入して加熱するのが一般的であった。【０００３】  このような電気温水器は、加熱効率が低く、シーズヒーターの寿命が短く、漏電の恐れの高いものであった。このため漏電すると、使用して入り人の命を脅かして、深刻な安全問題になる。
【先行技術文献】
【特許文献】
【０００４】
【特許文献１】特開２０１１−２３８４４９号公報
【特許文献２】特開２０１０−２５５８６５号公報
【特許文献３】特開２００９−４７３４７号公報
【特許文献４】特開２００５−１７４８０１号公報
【特許文献５】特開２００１−２４１７６９号公報
【０００５】  上記の「特許文献１」「特許文献２」「特許文献３」「特許文献４」および「特許文献５」の先行技術は、いずれも本発明の課題を解決に関する手段が記載されていない。【０００６】  このように、従来の先行技術文献には、高周波電磁気加熱装置付き湯沸し器に関するものは、見当たらないと考えている。
【考案の概要】
【考案が解決しようとする課題】
【０００７】  本考案が解決しようとする課題は、従来技術の問題点を克服し打て、最も安全で、省エネタイプとして、加熱効率を高めるために、水と電気を分離して高周波電磁気の誘導を利用して、渦電流発生による高周波電磁気加熱装置付き湯沸し器を提供することである。
【課題を解決するための手段】
【０００８】  柱状電磁誘導材料加熱装置本体１、螺旋状加熱コイル２および中空柱状の電磁誘導桶３で構成される構造になっていて、上記、柱状電磁誘導材料加熱装置本体１の外側に、螺旋状加熱コイル２を設置し、さらに、この螺旋状加熱コイル２の外側に中空柱状の電磁誘導桶３を覆うように設置した構造において、螺旋状加熱コイル２に高周波電流を印加して、この螺旋状加熱コイル２に電磁気誘導を発生させて、この螺旋状加熱コイル２に隣接する柱状電磁誘導材料加熱装置本体１の内部と中空柱状の電磁誘導桶３の内部に流動している水を加熱すると同時に磁化させることにした。
【考案の効果】
【０００９】  １）高効率で省エネが図れる。２）水と電気を分離しているので、漏電の危険性がない。３）美容に効果がある磁化水が得られる。入浴に活用すると肌（皮膚）に良くて美容効果が上がる。４）水垢などのスケールの発生がない。５）ＩＧＢＴモジュールから構成されているので寿命は長い。【００１０】  高周波電磁気加熱装置付き湯沸し器の加熱効率は、高く、理論値では、９０％以上を達成できる。
タングステン線シーズヒーターに比べて３０％に節電が図れる。
【図面の簡単な説明】
【００１１】
【図１】  本発明の高周波電磁気加熱装置付き湯沸し器を示す詳細図である。
【考案を実施するための形態】
【００１２】  以下、本発明の実施例を図面に基づいて記述する。
高周波電流は、螺旋状加熱コイル２を通る時、螺旋状加熱コイル２が電磁気誘導を発生して、螺旋状加熱コイル２に被せられる柱状電磁誘導材料加熱装置本体１と螺旋状加熱コイル２を被せる中空柱状の電磁誘導桶３に渦電流が流れて、柱状電磁誘導材料加熱装置本体１と中空柱状の電磁誘導桶３の中に流動している水を加熱する。併せて、加熱する時間内に、水が磁化される。
【００１３】  螺旋状加熱コイル２と螺旋状加熱コイル２に被せられる柱状電磁誘導材料加熱装置本体１と螺旋状加熱コイル２を被せる中空柱状の電磁誘導桶３の間は、絶縁状態であるので。タングステン線のシーズを水の中に入れて、水を加熱するより安全である。
【実施例】
【００１４】  柱状電磁誘導材料加熱装置本体１には、注入口４と排出口５を設け、中空柱状の電磁誘導桶３には、注入口６と排出口７を設けてある。柱状電磁誘導材料加熱装置本体１と中空柱状の電磁誘導桶３は、パイプで直列連結または、並列連結の方法で繋がれていて、水は、柱状電磁誘導材料加熱装置本体１と中空柱状の電磁誘導桶３の中を流動する間に加熱される。
【産業上の利用可能性】
【００１５】  政府機関、企業、学校、病院、デパート、駅、オフィスビル、ホテルなどの場所で利用できる。
【符号の説明】
【００１６】１      柱状電磁誘導材料加熱装置本体
２      螺旋状加熱コイル
３      中空柱状の電磁誘導桶
４，６  注入口
５，７  排出口
【図１】
0003187951.tif 000003
【手続補正書】
【提出日】平成25年10月3日(2013.10.3)
【手続補正１】
【補正対象書類名】実用新案登録請求の範囲
【補正対象項目名】全文
【補正方法】変更
【補正の内容】
【実用新案登録請求の範囲】
【請求項１】
柱状電磁誘導材料加熱装置本体（１）、螺旋状加熱コイル（２）および中空柱状の電磁誘導桶（３）で構成される構造になっていて、上記、柱状電磁誘導材料加熱装置本体（１）の外側に、螺旋状加熱コイル（２）を設置し、さらに、この螺旋状加熱コイル（２）の外側に中空柱状の電磁誘導桶（３）を覆うように設置した構造において、螺旋状加熱コイル（２）に高周波電流を印加して、この螺旋状加熱コイル（２）に電磁気誘導を発生させて、この螺旋状加熱コイル（２）に隣接する柱状電磁誘導材料加熱装置本体（１）の内部と中空柱状の電磁誘導桶（３）の内部に流動している水を加熱すると同時に磁化させることを特徴とした高周波電磁気加熱装置付き湯沸し器。
【請求項２】
柱状電磁誘導材料加熱装置本体（１）には、注入口（４）と排出口（５）を設け、中空柱状の電磁誘導桶（３）には、注入口（６）と排出口（７）を設けたことを特徴とした請求項１の記載の高周波電磁気加熱装置付き湯沸し器。
【請求項３】
柱状電磁誘導材料加熱装置本体（１）には、注入口（４）と排出口（５）を設け、その設ける位置は、実際の需要に応じた場所に設け、さらに、中空柱状の電磁誘導桶（３）には、注入口（６）と排出口（７）を設け、その設ける位置は、実際の需要に応じた場所に設けたことを特徴とした請求項１の記載の高周波電磁気加熱装置付き湯沸し器。
【請求項４】
柱状電磁誘導材料加熱装置本体（１）、螺旋状加熱コイル（２）および中空柱状の電磁誘導桶（３）の形状は、立方体、長方帯、円柱体、楕円柱体などのいずれかの構造になっていることを特徴とした請求項１の記載の高周波電磁気加熱装置付き湯沸し器。
【請求項５】
柱状電磁誘導材料加熱装置本体（１）、螺旋状加熱コイル（２）および中空柱状の電磁誘導桶（３）で構成される構造になっている加熱装置の外側にさらに、螺旋状加熱コイル（２）および中空柱状の電磁誘導桶（３）を覆うように設置したことを特徴とした請求項１の記載の高周波電磁気加熱装置付き湯沸し器。